(57)【要約】【課題】建築土木工事におけるセパレーターロッドによるコンパネの固定を容易に行うことのできるナット治具等を提供する。【解決手段】肉太で、くさび孔１２ａを有する把持棒１２の先端から、肉細の連結棒１３を連設すると共に、当該連結棒の先端部に球体１４を設け、半割状態とした一対の割筒１６からなる螺合筒１５の前部内周面に、前記セパレーターロッド１の端部に螺合する螺条１７を刻設し、その後端部を前記球体に滑動自在に支持させ、さらに、その中間部にバネ材１８を設けて前記一対の割筒１６をその後端部を支点として拡径方向へ付勢させる組付部１１と、内周面前端部をテーパ面２１とした筒体２０に、前記組付部１１の把持棒の略中間部から前部分を進退移動自在に収納し、内蔵したスプリング２２によって前記把持棒を後方へ付勢する格納部１９とで構成する。【選択図】　　　図２
2004092305.tif 000002
【特許請求の範囲】
【請求項１】
建築土木工事においてコンパネ（３）をセパレーターロッド（１）によって固定するために，該セパレーターロッドの両端部に螺合組付けするナット治具であって、肉太で，くさび孔（１２ａ）を有する把持棒（１２）の先端から，肉細の連結棒（１３）を連設すると共に，該連結棒の先端部に球体（１４）を設け，半割状態とした一対の割筒（１６）からなる螺合筒（１５）の前部内周面に，前記セパレーターロッドの端部に螺合する螺条（１７）を刻設し，その後端部を前記球体に滑動自在に支持させ，さらに，その中間部にバネ材（１８）を設けて前記一対の割筒をその後端部を支点として拡径方向へ付勢させる組付部（１１）と、内周面前端部をテーパ面（２１）とした筒体（２０）に，前記組付部の把持棒の略中間部から前部分を進退移動自在に収納し，内蔵したスプリング（２２）によって前記把持棒を後方へ付勢する格納部（１９）とからなるナット治具。
【請求項２】
建築土木工事においてコンパネ（３）をセパレーターロッド（１）によって固定するために、該セパレーターロッドの両端部に螺合組付けするナット治具と共に使用するクランパーであって、クランプ本体（３１）の上部と下部に、前記セパレーターロッドの上下に配置する丸パイプ（５）に対応する円弧部（３２）を形成すると共に、その中間部に、前記セパレーターロッド端部の直径より大きく、かつ、前記クランプ本体の後方に取付けられる前記ナット治具前端部の直径より小さい通孔（３３）を穿設してなるクランパー。
【発明の詳細な説明】
【０００１】
【発明の属する技術分野】本発明は、建築土木工事において、例えば、コンクリート壁を築造するためのコンパネを固定するために使用するセパレーターロッドの両端部に、ワンタッチで螺合組付きするナット治具およびそれと共に使用することのできるクランパーに関するものである。
【０００２】
【従来の技術】図１を参照して説明する。従来、建築土木工事において、コンクリート壁４等を築造するためのコンパネ３は、セパレーターロッド１によって固定される。その固定方法は、まず、一対のコンパネ３間にセパレーターロッド１を挿通した後、その両端部に接続金具７を回転させながら螺合組付けする（ａ）。次に、接続金具７の上下に角パイプ６を配置した後、押え金具８をその孔部に接続金具７を挿通させて角パイプ６の後面に配する（ｂ）。そして、接続金具７の抜き孔７ａにくさび金物９を打ち込んで、セパレーターロッド１によってコンパネ３を固定するものである（ｃ）。
【０００３】
【発明が解決しようとする課題】しかし、この従来技術においては、セパレーターロッド１の両端部に接続金具７を回転させながら螺合して組付ける必要があるので、その組付けが面倒であり、多大の時間を要するといった問題がある。
【０００４】
また、セパレーターロッド１によってコンパネ３を固定するのに、くさび金物９を打ち込む必要もあるので、それによっても組付け作業が面倒であるといった問題がある。
【０００５】
本発明はこうした問題に鑑み創案されたもので、建築土木工事におけるセパレーターロッドによるコンパネの固定を容易に行うことのできるナット治具、および当該ナット治具と共に使用することのできるクランパーを提供することを課題とする。
【０００６】
【課題を解決するための手段】図２乃至図５を参照して説明する。本発明に係るナット治具１０は、建築土木工事においてコンパネ３をセパレーターロッド１によって固定するために、当該セパレーターロッド１の両端部に螺合組付けするものであって、肉太で、くさび孔１２ａを有する把持棒１２の先端から、肉細の連結棒１３を連設すると共に、当該連結棒の先端部に球体１４を設け、半割状態とした一対の割筒１６からなる螺合筒１５の前部内周面に、前記セパレーターロッド１の端部に螺合する螺条１７を刻設し、その後端部を前記球体に滑動自在に支持させ、さらに、その中間部にバネ材１８を設けて前記一対の割筒１６をその後端部を支点として拡径方向へ付勢させる組付部１１と、内周面前端部をテーパ面２１とした筒体２０に、前記組付部１１の把持棒の略中間部から前部分を進退移動自在に収納し、内蔵したスプリング２２によって前記把持棒を後方へ付勢する格納部１９とからなるものである。
【０００７】
また、本発明に係るクランパー３０は、建築土木工事においてコンパネ３をセパレーターロッド１によって固定するために、当該セパレーターロッド１の両端部に螺合組付けするナット治具１０と共に使用するものであって、クランプ本体３１の上部と下部に、前記セパレーターロッド１の上下に配置する丸パイプ５に対応する円弧部３２を形成すると共に、その中間部に、前記セパレーターロッド１端部の直径より大きく、かつ、前記クランプ本体３１の後方に取付けられる前記ナット治具１０前端部の直径より小さい通孔３３を穿設してなるものである。
【０００８】
【発明の実施の形態】本発明に係るナット治具１０の実施形態を、図２および図３に示す。これは、建築土木工事においてコンパネ３をセパレーターロッド１によって固定するために、当該セパレーターロッド１の両端部に刻設されたネジ部２に螺合組付けするナット治具であり、組付部１１と格納部１９とで構成される。このナット治具は、金属または合成樹脂材で成形することができる。
【０００９】
組付部１１は、肉太で、くさび孔１２ａを有する把持棒１２の先端から、肉細の連結棒１３を連設すると共に、その連結棒１３の先端部に球体１４を設けた部材を有する。また、半割状態とした一対の割筒１６からなる螺合筒１５の前部内周面に、セパレーターロッド１の端部に螺合する螺条１７を刻設している。また、その螺合筒１５の後端部を球体１４に滑動自在に支持させている。さらに、当該螺合筒１５の中間部にバネ材１８を設け、一対の割筒１６をその後端部を支点として拡径方向へ付勢させるようにしている。
【００１０】
格納部１９は、内周面の前端部を前方へ向けて拡径となるテーパ面２１を形成した筒体２０に、組付部１１の把持棒１２のほぼ中間部から前部分を進退移動自在に収納している。そして、内蔵したスプリング２２によって、把持棒１２を後方へ付勢するようにしている。なお、このスプリング２２は、筒体２０の中間部分に設けた支持片２３と把持棒１２の前端面との間に内蔵している。
【００１１】
このナット治具１０のセパレーターロッド１の端部に対する螺合は、いわゆるワンタッチで行うことができる。すなわち、螺合に際しては、把持棒１２を一方の手で握ると共に格納部１９を他方の手で握り、把持棒１２を、格納部１９からスプリング２２の弾力に抗して前進させる。これにより、螺合筒１５が筒体２０から露出する。この際、筒体２０の前端部はテーパ面２１とされているので、一対の割筒１６がバネ材１８の作用によって当該テーパ面２１の角度に沿って拡径する。
【００１２】
この状態で、螺合筒１５の先端をコンパネ３に押し付けるようにしてセパレーターロッド１の端部を侵入させた後、把持棒１２を放す。これにより、把持棒１２はスプリング２２の弾力によって後退すると共に、一対の割筒１６はバネ材１８の弾力によって縮径して原形に復帰し、螺合筒１５の螺条１７がセパレーターロッド１端部のネジ部２に螺合する。
【００１３】
従って、従来のように回転させながら螺合させる必要がなく、組付けが容易で、組付け時間を大幅に短縮することができる。ちなみに、従来技術では、一回の螺合組付けに１０秒程度要していたが、本発明のナット治具１０では１〜２秒で行うことができる。
【００１４】
図３（ａ）の実施形態においては、横パイプ５の外側に縦パイプ５を配置し、押え金具８を当て、くさび孔１２ａにくさび金物９を圧入しているが、図３（ｂ）のように把持棒１２にねじを切り、ナット１２ｂで締付けるようにしてもよい。
【００１５】
本発明に係るクランパー３０の実施形態を、図４および図５に示す。これは、建築土木工事においてコンパネ３をセパレーターロッド１によって固定するために、当該セパレーターロッド１の両端部に螺合組付けするナット治具１０と共に使用するものである。
【００１６】
そして、クランプ本体３１の上部と下部に、セパレーターロッド１の上下に配置する丸パイプ５に対応する円弧部３２を形成すると共に、その中間部に、セパレーターロッド１端部のネジ部２の直径より大きく、かつ、クランプ本体３１の後方に取付けられるナット治具１０前端部の直径より小さい通孔３３を穿設している。なお、このクランパー３０は合成樹脂で成形している。
【００１７】
このクランパー３０を使用するとくさび金物９の使用を省略することができる（図４参照）。すなわち、クランプ本体３１に穿設した通孔３３の径は、セパレーターロッド１のネジ部２の直径より大きく、かつナット治具１０前端部の直径より小さく設定しているので、セパレーターロッド１のネジ部２を挿通し、そのネジ部２にナット治具１０を螺合すると、ナット治具１０がクランパー３０をコンパネ３側に強く押圧することになる。従って、くさび金物９を使用しないで、セパレーターロッド１によってコンパネ３を強固に固定することができる。
【００１８】
また、このクランパー３０には円弧部３２を形成しているので、丸パイプ５を安定姿勢で保持することができる。さらに、このクランパー３０は合成樹脂で成型しているので、鋼製と比べて、軽量で廉価なものとすることができる。なお、このクランパー３０は、金属で成形することもできる。
【００１９】
なお、ここで言う「ナット治具」には、本発明に係るナット治具１０のみでなく、本出願人が先に出願した「ワンタッチ締付ナット」（特願２０００−２１１２２０）を含む。
【００２０】
【発明の効果】本発明に係るナット治具１０は、把持棒１２を握って前進させ、拡径した螺合筒１５にセパレーターロッド１の端部を侵入させた後、手を放すのみで良いので、螺合組付けをワンタッチで容易に行うことができる。従って、作業の簡素化と作業時間の大幅な短縮を図ることができる。
【００２１】
本発明に係るクランパー３０は、通孔３３の径を、セパレーターロッド１端部の直径より大きく、かつ、ナット治具１０前端部の直径より小さく設定しているので、くさび金物９の使用を省略することができる。従って、くさび金物９を打ち込む必要がなく、組付け作業の簡素化を図ることができる。
【図面の簡単な説明】
【図１】従来技術を示す説明図である。
【図２】本発明に係るナット治具の実施形態を示す側面断面図であり、（ａ）は螺合筒が拡径した状態、（ｂ）は螺合筒が縮径した状態を示す。
【図３】（ａ）は本発明に係るナット治具の一実施形態の使用例を示す平面断面図で、（ｂ）は一部変形図である。
【図４】本発明に係るクランパーの実施形態を示す側面断面図である。
【図５】本発明に係るクランパーの実施形態を示す斜視図である。
【符号の説明】
１　　　セパレーターロッド
２　　　ネジ部
３　　　コンパネ
４　　　コンクリート壁
５　　　丸パイプ
６　　　角パイプ
７　　　接続金具
７ａ　　抜き孔
８　　　押え金具
９　　　くさび金物
１０　　ナット治具
１１　　組付部
１２　　把持棒
１２ａ　くさび孔
１２ｂ　ナット
１３　　連結棒
１４　　球体
１５　　螺合筒
１６　　割筒
１７　　螺条
１８　　バネ材
１９　　格納部
２０　　筒体
２１　　テーパ面
２２　　スプリング
２３　　支持片
３０　　クランパー
３１　　クランプ本体
３２　　円弧部
３３　　通孔
【図１】
2004092305.tif 000003
【図２】
2004092305.tif 000004
【図３】
2004092305.tif 000005
【図４】
2004092305.tif 000006
【図５】
2004092305.tif 000007